(57)【要約】【課題】  実物キャラクター型動画像情報物を容易にダウンロードできるサービス提供方法およびそのシステムを提供する。【解決手段】  コンテンツ提供者またはサービス提供者は，実物キャラクター型動画像情報物７０を製作してコンテンツ提供者／サービス提供者サーバ１１０に蓄積し，実物キャラクター型動画像情報物７０のダウンロードサービスを準備する（Ｓ１）。次いで，コンピュータまたは携帯端末機の使用者が，有線もしくは無線通信網を介して，コンテンツ提供者／サービス提供者サーバ１１０に接続する（Ｓ２）。そして，有線もしくは無線インターネットを介して使用者が接続すると，コンテンツ提供者／サービス提供者サーバ１１０に接続した使用者に対して実物キャラクター型動画像情報物リストおよびその再生部などを表示する（Ｓ３）。その後，使用者が選択した実物キャラクター型動画像情報物７０を使用者に提供する（Ｓ４）。【選択図】    図６
2005198271.tif 000002
【特許請求の範囲】
【請求項１】
インターネットまたは有線もしくは無線通信網に接続された実物キャラクター型動画像情報物を蓄積しているコンテンツまたはサービスサーバを介して，使用者に，実物のモーション情報，音楽情報，字幕情報またはメッセージ情報のうち少なくとも一つを含む実物キャラクター型動画像情報物を提供する，実物キャラクター型動画像情報物ダウンロードサービス方法において：
コンテンツ提供者またはサービス提供者により，前記実物キャラクター型動画像情報物が製作され，製作された前記実物キャラクター型動画像情報物を実物キャラクター型動画像情報物サービスサーバに蓄積して，前記実物キャラクター型動画像情報物のダウンロードサービスを準備する段階と；
コンピュータまたは携帯端末機の使用者が，インターネットまたは有線もしくは無線通信網を介して，前記実物キャラクター型動画像情報物サービスサーバに接続する段階と；
前記コンピュータまたは携帯端末機の使用者が，有線もしくは無線インターネットを介して前記実物キャラクター型動画像情報物サービスサーバに接続した場合，前記実物キャラクター型動画像情報物サービスサーバが，前記接続したコンピュータまたは携帯端末機の使用者に対して，実物キャラクター型動画像情報物リストおよび実物キャラクター型動画像情報物リストの再生部を表示する段階と；
前記コンピュータまたは携帯端末機の使用者が選択した前記実物キャラクター型動画像情報物を，前記コンピュータまたは携帯端末機の使用者に提供する段階と；
を含むことを特徴とする，実物キャラクター型動画像情報物ダウンロードサービス提供方法。
【請求項２】
前記コンピュータまたは携帯端末機の使用者が要請する前記実物キャラクター型動画像情報物を提供する段階は，
前記実物キャラクター型動画像情報物の字幕情報を，前記コンピュータまたは携帯端末機の使用者の名前，アイディー，または前記コンピュータまたは携帯端末機の使用者の要請情報を含む使用者情報を組み込んだ情報に変更して提供し，
前記使用者情報を含む実物キャラクター型動画像情報物が再生されるとき，前記使用者情報を前記実物キャラクター型動画像情報物と共に表示することを特徴とする，請求項１に記載の実物キャラクター型動画像情報物ダウンロードサービス提供方法。
【請求項３】
前記実物キャラクター型動画像情報物は，
動画像情報，音楽情報および字幕情報を含むモーション実物キャラクター型動画像情報物と，
メッセージの到着，メッセージの受信，プログラムの開始，プログラムの終了，または電子メールの受信を表現する通知用の実物キャラクター型動画像情報物と，
各種のメッセンジャーと連動されるメッセージ実物キャラクター型動画像情報物と，
プログラムの実行時に表現されるプラグイン実物キャラクター型動画像情報物と，を含み，
コンピュータまたは携帯端末機のバックグラウンド画面に，前記実物キャラクター型動画像情報物に含まれた画像と共に音楽，メッセージまたは字幕が再生され，
実物キャラクター型動画像情報物は，有線インターネット，移動通信網，有線または無線通信網を介して，ＣＤＭＡモデムを装着した携帯電話を含む移動通信器機を通じて，前記実物キャラクター型動画像情報物サービスサーバに接続した使用者に対し，ダウンロードサービスが提供されることを特徴とする，請求項１または２のいずれかに記載の実物キャラクター型動画像情報物ダウンロードサービス提供方法。
【請求項４】
実物キャラクター型動画像情報物ダウンロードサービスシステムにおいて：
実物の動画像情報を含み，音楽情報，字幕情報またはメッセージ情報のうち少なくとも一つをさらに含む，実物型２次元実物キャラクター型動画像情報物と；
前記実物型２次元実物キャラクター型動画像情報物および前記実物キャラクター型動画像情報物に含まれた前記音楽情報，前記字幕情報または前記メッセージ情報を相互に連動して実行するための情報を含むメタファイルを保存するデータベースと；
使用者はインターネットまたは有線もしくは無線通信網に接続することができ，前記使用者の要請によって，ダウンロードサービスの提供が可能なコンテンツまたはサービスサーバと；
前記使用者が，前記コンテンツまたは前記サービスサーバから，前記実物キャラクター型動画像情報物をダウンロードして，コンピュータまたは携帯端末機のバックグラウンド画面でモーション実物キャラクター型動画像情報物，通知用の実物キャラクター型動画像情報物，およびプラグイン実物キャラクター型動画像情報物を表現する映像，音楽，字幕を含んだ実物キャラクター型動画像情報物を，リアルタイムで同期して再生するための前記実物キャラクター型動画像情報物再生部またはモーションプレーヤーと；
を含むことを特徴とする，実物キャラクター型動画像情報物ダウンロードサービスシステム。
【発明の詳細な説明】
【技術分野】
【０００１】
本発明は，有線もしくは無線インターネットを利用して実物キャラクター型動画像情報物を提供する実物キャラクター型動画像情報物ダウンロードサービス方法およびダウンロードサービスシステムに関するものであり，より詳細には，多様な形態の実物キャラクター型動画像情報物および実物キャラクター型動画像情報物を再生するための再生部を，有線もしくは無線インターネットサーバまたはデータベースに蓄積し，使用者がコンピュータまたは携帯端末機を利用してサーバに接続して，実物キャラクター型動画像情報物をダウンロードできるダウンロードサービス提供方法およびダウンロードサービスシステムに関するものである。
【背景技術】
【０００２】
実物キャラクター型動画像情報物（ｒｅａｌ  ｃｈａｒａｃｔｅｒ  ｔｙｐｅ  ｖｉｓｕａｌ−ａｕｄｉｏ  ｄａｔａ）とは，実物のモーション情報，音楽情報，字幕情報またがメッセージ情報のうち，少なくとも一つが含まれる情報である。実物キャラクター型動画像情報物を製作する方法，および実物キャラクター型動画像情報物を再生する再生部または再生ソフトウェアについては，既に検討がなされている。そこで，有線もしくは無線インターネットにより実物キャラクター型動画像情報物を電子メールで送信する方法，ウェブサーバでのストリーミングサービス方法，またはウェブサーバに蓄積した実物キャラクター型動画像情報物を有線もしくは無線インターネットによりダウンロード可能なダウンロードサービス方法およびシステムを提供することについて検討する。
【０００３】
まず，図１は，従来の携帯移動電話システムの着信音ダウンロードシステム２００を示した図である。
【０００４】
図１において，着信音ダウンロードシステム２００は，有線もしくは無線通信網１００，サーバ１０２，複数の有線インターネット端末１０４の使用者，および複数の携帯端末機１０６使用者を含んで構成される。ここで，有線インターネット端末１０４の使用者は，有線インターネット端末（例えば，コンピュータ）１０４の利用によりサーバ１０２に接続する。また，携帯端末機１０６の使用者は，携帯端末機１０６（例えば，携帯電話機，ＰＤＡ（Ｐｅｒｓｏｎａｌ  Ｄｉｇｉｔａｌ  Ａｓｓｉｓｔａｎｔｓ））を利用してサーバ１０２に接続する。
【０００５】
サーバ１０２は，多様な形態の音楽ファイルからなる携帯電話機着信音データを蓄積している。このサーバ１０２は，有線もしくは無線インターネットを通じて使用者が接続し，希望する着信音をダウンロードできるようになっている。
【０００６】
有線インターネット端末１０４の使用者および携帯端末機１０６の使用者は，有線もしくは無線通信網１００を通じて，さまざまな着信音ファイルが保存されたデータベースを具備する着信音ダウンロード提供サーバ１０２に接続し，着信音ファイルをダウンロードできるようになっている。
【０００７】
ここで，着信音ダウンロードサービスを受けるためには，まず，認証された使用者が有線もしくは無線インターネットである場合，コンピュータ通信サービスにより，さまざまな着信音の音声情報が保存された着信音ダウンロード提供サーバ１０２に接続して，着信音ダウンロードサービスを利用することができる。また，認証された使用者が携帯電話使用者である場合，移動通信システムを通じて着信音ダウンロードサービスを利用することができる。
【０００８】
次に，図２は，従来の携帯移動電話端末機に関する着信音ダウンロードサービス方法を説明したフローチャートである。まず，使用者は，着信音ダウンロード提供サーバ１０２に接続する（ステップＳ３００）。次いで，データベースに保存された着信音ファイルリストが，有線もしくは無線通信網１００を通じて使用者に伝送される（ステップＳ３０２）。そして，使用者は，着信音ファイルリストより着信音ファイルを選択し，着信音ファイルを選択したか否かチェックする（ステップＳ３０４）。ここで，使用者が，着信音ファイルリストの中から着信音ファイル（例えばひとつの着信音ファイル）を選択すると（ステップＳ３０６），着信音ダウンロード提供サーバ１０２から通信網を通じて，使用者が選択した着信音ファイルが伝送される（ステップＳ３０８）。なお，ステップＳ３０４において，着信音ファイルの選択が確認されなかった場合，使用者が着信音ファイルを選択するまでチェックする。
【０００９】
その後，着信音ダウンロード提供サーバ１０２は，使用者が入力した着信音ファイルをダウンロードする端末機の電話番号を，有線もしくは無線通信網１００を通じて受信する（ステップＳ３１０）。次いで，着信音ダウンロード提供サーバ１０２は，ダウンロードする端末機を呼び出す（ステップＳ３１２）。そして，ダウンロードする端末機が呼び出しに応答したかを確認する（ステップＳ３１４）。ダウンロードする端末が呼び出しに応答した場合，着信音ダウンロード提供サーバ１０２は，端末機に要求された着信音ファイルを送る（ステップＳ３１６）。そして，着信音ファイル送信を終了すると（ステップＳ３１８），使用者に送信完了のメッセージを送る（ステップＳ３２０）。また，ステップＳ３１４において，ダウンロードする端末機から呼び出しに対して応答がない場合，使用者にエラーメッセージを送信する（ステップＳ３２２）。
【００１０】
上記図１および図２では，発明の説明を容易にするため，携帯電話機の着信音のみを例に説明した。しかし，このような従来のダウンロードサービス提供方法および着信音ダウンロードシステム２００においては，例えば，ＭＰ３音楽，動映像，キャラクターなどの多様なコンテンツをそれぞれ蓄積しているサーバ１０２を複数具備しており，ダウンロード等の多様なサービスが行われている。ここで，有線もしくは無線通信網１００を運営する移動通信社は，複数のコンテンツ提供者（Ｃｏｎｔｅｎｔｓ  Ｐｒｏｖｉｄｅｒ：ＣＰ）またはサービス提供者（Ｓｅｒｖｉｃｅ  Ｐｒｏｖｉｄｅｒ：ＳＰ）が，上述のコンテンツを製作してサーバ１０２などに蓄積することにより，有線インターネット端末１０４の使用者および携帯端末機１０６の使用者は，このようなコンテンツを利用することができる。
【発明の開示】
【発明が解決しようとする課題】
【００１１】
しかし，上述したように，ＭＰ３音楽，動映像，キャラクターなどの多様なダウンロードサービスが行われているにもかかわらず，それぞれが単独にサービス提供されている。また，ＭＰ３ダウンロードサービスまたは着信音ダウンロードサービスは提供されているが，動画像情報，音楽情報，字幕情報が含まれた実物キャラクター型動画像情報物は，コンテンツ提供者（ＣＰ）やサービス提供者（ＳＰ）から有線もしくは無線インターネットを通じて，新しい形態の感性型実物キャラクター型動画像情報物としてダウンロードできるサービスは提供されていない。そのため，感性的応用サービスが提供されないという問題があった。
【００１２】
そこで，本発明はこのような問題に鑑みてなされたもので，その目的は，ローン形態のマルチメディアデジタルコンテンツとして，実物のモーション情報，音楽情報，字幕情報またはメッセージ情報のうち，少なくとも一つ以上を含む実物キャラクター型動画像情報物を提供する。そして，有線もしくは無線インターネットを使って，使用者のコンピュータまたは携帯端末機（例えば，携帯電話機，ＰＤＡ）で実行できる実物キャラクター型動画像情報物を容易にダウンロードすることの可能な，ダウンロードサービス提供方法およびダウンロードサービスシステムを提供することにある。
【課題を解決するための手段】
【００１３】
上記課題を解決するために，本発明のある観点によれば，インターネットまたは有線もしくは無線通信網に接続された実物キャラクター型動画像情報物を蓄積しているコンテンツまたはサービスサーバを通じて，使用者に，実物のモーション情報，音楽情報，字幕情報またはメッセージ情報のうち，少なくとも一つを含む実物キャラクター型動画像情報物を提供する実物キャラクター型動画像情報物ダウンロードサービス方法が提供される。この実物キャラクター型動画像情報物ダウンロードサービス方法は，コンテンツ提供者またはサービス提供者により，実物キャラクター型動画像情報物が製作され，製作された実物キャラクター型動画像情報物を実物キャラクター型動画像情報物サービスサーバに蓄積して，実物キャラクター型動画像情報物のダウンロードサービスを準備する段階と；コンピュータまたは携帯端末機の使用者が，インターネットまたは有線もしくは無線通信網を通じて，実物キャラクター型動画像情報物サービスサーバに接続する段階と；有線もしくは無線インターネットを通じて，コンピュータまたは携帯端末機の使用者が接続した場合，実物キャラクター型動画像情報物サービスサーバから接続したコンピュータまたは携帯端末機の使用者に対して，実物キャラクター型動画像情報物リストおよびその再生部などを表示する段階と；コンピュータまたは携帯端末機の使用者が選択した実物キャラクター型動画像情報物を，コンピュータまたは携帯端末機の使用者に提供する段階とを含む。
【００１４】
ここで，使用者が要請する実物キャラクター型動画像情報物を提供する段階では，使用者の名前，ＩＤ，または実物キャラクター型動画像情報物を与えるよう要請した使用者の指示情報などの使用者情報を含むように，実物キャラクター型動画像情報物の字幕情報を変更して提供される。そして，使用者情報を含む実物キャラクター型動画像情報物が再生されとき，使用者情報を一緒に表示するようにする。
【００１５】
また，実物キャラクター型動画像情報物は，動画像情報，音楽情報および字幕情報などを含むモーション実物キャラクター型動画像情報物と；メッセージ到着，メッセージ受信，プログラム開始，プログラム終了，電子メール到着を表示する通知用の実物キャラクター型動画像情報物と；各種メッセンジャーと連動される実物キャラクター型動画像情報物およびプラグイン実物キャラクター型動画像情報物と；を含む。そして，コンピュータまたは携帯端末機のバックグラウンド画面に，実物キャラクター型動画像情報物に含まれた映像と共に，音楽，メッセージまたは字幕が再生される。このとき，実物キャラクター型動画像情報物は，例えば，コンピュータやＣＤＭＡモデムを装着した携帯電話などの移動通信器機などにより，実物キャラクター型動画像情報物サービスサーバに接続したクライアント（例えば，使用者のコンピュータ）に対して，有線または無線通信網を介してダウンロードサービスが提供される。
【００１６】
上記課題を解決するために，本発明の別の観点によれば，実物キャラクター型動画像情報物ダウンロードサービスシステムは，実物の動画像情報と，音楽情報，字幕情報またはメッセージ情報のうち，少なくとも一つをさらに含む，実物型２次元実物キャラクター型動画像情報物と；実物キャラクター型動画像情報物および実物キャラクター型動画像情報物に含まれた音楽情報，メッセージ情報または字幕情報が相互に連動して実行されるための情報を含むメタファイルを保存するデータベースと；使用者が接続可能なインターネットまたは有線もしくは無線通信網を利用して，使用者の要請によりダウンロードサービスの可能なコンテンツまたはサービスサーバと；使用者がコンテンツまたはサービスサーバから実物キャラクター型動画像情報物をダウンロードして，例えば，ノートブック型の移動端末機やコンピュータのバックグラウンド画面で，モーション実物キャラクター型動画像情報物，通知用の実物キャラクター型動画像情報物，およびプラグイン実物キャラクター型動画像情報物表現する映像，音楽，字幕を含んだ実物キャラクター型動画像情報物を，リアルタイムで同期（ｓｙｎｃ）させて，再生するための実物キャラクター型動画像情報物再生部またはモーションプレーヤーとを含む。
【発明の効果】
【００１７】
以上説明したように本発明によれば，実物のモーション情報，音楽情報，字幕情報またはメッセージ情報のうち，少なくとも一つを含む実物キャラクター型動画像情報物を有線もしくは無線インターネットを使って，使用者のコンピュータまたは携帯電話機，ＰＤＡのような携帯端末機で実行できる実物キャラクター型動画像情報物を容易にダウンロードできるようになる。
【発明を実施するための最良の形態】
【００１８】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１９】
図３は，本実施形態にかかる実物キャラクター型動画像情報物を製作してダウンロードサービスを遂行するために実物キャラクター型動画像情報物を蓄積するコンテンツ提供者のサーバ構成を示した図である。また，図４は，図３でダウンロードされた実物キャラクター型実物キャラクター型動画像情報物を実物キャラクター型動画像情報物再生部によってリアルタイムに同期されて再生される画面を示した図である。そして，図５は，本実施形態にかかるコンテンツ提供者またはサービス提供者サーバからの実物キャラクター型動画像情報物のダウンロードサービスシステム構成図である。図６は，本実施形態にかかる実物キャラクター型動画像情報物のダウンロードサービス提供方法を説明するためのフローチャートである。
【００２０】
図３において，コンテンツ提供者／サービス提供者サーバ１１０には，様々なファイル形態の，複数の実物キャラクター型動画像情報物７０および実物キャラクター型動画像情報物再生部（以下，‘モーションプレーヤー’とする）１２が蓄積されている。
【００２１】
実物キャラクター型動画像情報物７０は，例えば，実際の歌手が歌を歌いながら踊る場面を撮影した動画像から，動画像情報（モーションクリップ）９をコンポーザー（Ｃｏｍｐｏｓｅｒ）７によって抽出する。また，実物キャラクター型動画像情報物７０は，動画像情報９に対応するオーディオ情報（例えば，ＭＰ３などの音楽データ）１０と，実物キャラクター型動画像情報物７０に字幕生成部８によって生成された字幕情報１１のうち，少なくともひとつを含んでいる。また，実物キャラクター型動画像情報物７０に含まれる動画像情報９，オーディオ情報１０，字幕情報１１またはメッセージ情報の製作および再生（実行）に必要な情報を含むメタファイル６をさらに含んでいる。ここで，メタファイル６は，動画像情報９のクリップ情報，同期情報および使用者情報も含んでいる。また，実物キャラクター型動画像情報物７０は，以下の表１に示すデータより製作される。表１からわかるように，実物キャラクター型動画像情報物７０に音楽情報１０および字幕情報１１が含まれなくとも，動画像情報９だけで実行が可能なように製作されている。
【００２２】
【表１】
2005198271.tif 000003
【００２３】
動画像情報（モーションクリップ）９は，ビットマップマスキング（Ｂｉｔｍａｐ  ｍａｓｋｉｎｇ）方式またはアルファチャンネル（Ａｌｐｈａ  Ｃｈａｎｎｅｌ）方式により，製作することができる。
【００２４】
ビットマップマスクキング（Ｂｉｔｍａｐ  ｍａｓｋｉｎｇ）方式は，マスクを加えた動画像情報９から動的客体を抽出する機能と，動的客体の実際領域を各フレーム別に情報化する機能と，領域情報および動画像情報９を重ねることができるＶＭＰフォーマット情報製作機能と，ＶＭＰウィンドウレンダリング機能とを含んでなる。さらに，イメージからインデックスカーラーによるマスキング領域を抽出して，各フレーム別に実際表現にされる領域を情報化する。そして，動画像情報９を再生することができる動映像ファイルフォーマットに変換する機能を含む。
【００２５】
一方，アルファチャンネル（Ａｌｐｈａ  Ｃｈａｎｎｅｌ）方式は，２４ビートＲＧＢ映像と８ビートアルファ映像との情報合成機能と，動的客体の実際領域を各フレーム別に情報化する機能と，領域情報および動画像情報を重ねることができるＶＭＰフォーマット情報製作機能と，３２ビート映像ウィンドウレンダリング機能と，およびイメージ輪郭のアンチエイリアシング（Ａｎｔｉ−ａｌｉａｓｉｎｇ）処理機能と，２４ビートＲＧＢ映像と８ビートアルファ映像とを相異なるチャンネルで蓄積できる機能とを含む。こうして，コンピュータで再生される実物キャラクター型動画像情報物を製作する。
【００２６】
なお，実物キャラクター型動画像情報物再生部（モーションプレーヤー）１２は，上記方式により製作された実物キャラクター型動画像情報物７０を再生させるための専用ソフトウェアまたはプレーヤーである。
【００２７】
また，コンテンツ提供者／サービス提供者サーバ１１０は，実物キャラクター型動画像情報物７０を利用して，メッセンジャー機能を使用する使用者のために，字幕生成部８をさらに含むことができる。
【００２８】
そして，コンテンツ提供者／サービス提供者サーバ１１０では，図５に示すように，有線インターネット端末１０４の使用者が，有線インターネット端末１０４を利用してコンテンツ提供者／サービス提供者サーバ１１０に接続する。これにより，要請する実物キャラクター型動画像情報物７０およびモーションプレーヤー１２または字幕生成部８をそれぞれダウンロードすることができる。一方，例えば，携帯電話機，ＰＤＡなどの携帯端末機１０６の使用者は，無線インターネットの利用を想起した方法により，要請する実物キャラクター型動画像情報物７０およびモーションプレーヤー１２をダウンロードすることができる。
【００２９】
ここで，実物キャラクター型動画像情報物７０のモーションプレーヤー１２は，ダウンロードと同時に使用者のコンピュータ１０４または携帯端末機１０６に再生（設置）されるのが望ましいが，モーションプレーヤー１２のダウンロード後に，再生することも可能である。
【００３０】
このとき，有線インターネット端末１０４の使用者，および携帯端末機１０６の使用者は，コンテンツ提供者／サービス提供者サーバ１１０に接続する場合に，会員加入またはログインなどによる会員認証を行う。また，必要により，サービス提供に際して，課金過程を導入してもよい。
【００３１】
その後，コンテンツ提供者／サービス提供者サーバ１１０は，認証または課金された会員に対して，動画像情報（例えば，モーションクリップ）９，オーディオ情報（例えば，音楽やＭＰ３）１０，字幕情報１１およびメタファイル６含む実物キャラクター型動画像情報物７０を，有線もしくは無線インターネットを介して，使用者に提供することができる。この実物キャラクター型動画像情報物７０と合わせて，モーションプレーヤー１２のダウンロードサービスを提供することもできる。
【００３２】
次に，図４は，図３でダウンロードされた実物キャラクター型実物キャラクター型動画像情報物７０を，実物キャラクター型動画像情報物再生部（モーションプレーヤー）１２によってリアルタイムに同期して再生される画面を示した図である。図４に示すように，コンテンツ提供者／サービス提供者サーバ１１０からダウンロードされた動画像情報（モーションクリップ）９と，オーディオ情報（ＭＰ３音楽）１０と，字幕情報１１とは，モーションプレーヤー（Ｍｏｔｉｏｎ  Ｐｌａｙｅｒ）１２によってリアルタイムに同期して再生される。
【００３３】
本実施形態にかかる実物キャラクター型動画像情報物再生部（モーションプレーヤー）１２によって，動画像情報であるモーションクリップ（Ｍｏｔｉｏｎ  Ｃｌｉｐ）９と，オーディオ情報であるＭＰ３音楽１０と，字幕（Ｃａｐｔｉｏｎ）情報１１との３つの情報ファイルが含まれた実物キャラクター型動画像情報物７０を，メタファイル６によって音楽タイムライン（Ｍｕｓｉｃ  Ｔｉｍｅ  Ｌｉｎｅ）に合わせて，リアルタイムで同期（ｓｙｎｃ）させる。そして，使用者の，例えばコンピュータ１０４のバックグラウンド画面で実物キャラクター型動画像情報物７０を再生する。
【００３４】
すなわち，コンテンツ提供者／サービス提供者サーバ１１０からダウンロードされたモーションクリップなどの動画像情報９，ＭＰ３音楽などのオーディオ情報１０，メッセージ情報または字幕（ｃａｐｔｉｏｎ）情報１１と一緒に，メタファイル６を書き込んだとする。そうすると，これらの情報のうち少なくともひとつの情報と，実物キャラクター型動画像情報物７０は相互に同期して，コンピュータ１０４のバックグラウンド画面に所定の大きさで特定位置に再生される。
【００３５】
そして，図５は，本実施形態にかかるコンテンツ提供者／サービス提供者サーバ１１０からの実物キャラクター型動画像情報物７０のダウンロードサービスシステム４００の構成図である。本実施形態にかかる実物キャラクター型動画像情報物７０のダウンロードサービスシステム４００は，実物キャラクター型動画像情報物７０，モーションプレーヤー１２およびデータベース１３を含む。実物キャラクター型動画像情報物７０およびモーションプレーヤー１２については，図３にて既に詳細に説明したので，ここでは，データベース１３について詳細に説明する。
【００３６】
実物キャラクター型動画像情報物７０のコンテンツ提供者／サービス提供者サーバ１１０では，まず，有線インターネット端末１０４の使用者または携帯端末機１０６の使用者が，実物キャラクター型動画像情報物７０およびモーションプレーヤー１２をダウンロードする。そして，ノートブックパソコンやコンピュータ１０４のバックグラウンド画面で再生して，多様なマルチメディアコンテンツを蓄積できるデータベース（ＤＢ）１３を提供する。ここで，データベース１３には，例えば，モーション実物キャラクター型動画像情報物，通知用の実物キャラクター型動画像情報物，およびプラグイン実物キャラクター型動画像情報物などの，多種類の実物キャラクター型動画像情報物コンテンツをサービスするためのマルチメディアコンテンツが蓄積されている。
【００３７】
ここで，データベース１３の構造は，ユーザーテーブル（Ｕｓｅｒ  Ｔａｂｌｅ）と，グループテーブル（Ｇｒｏｕｐ  Ｔａｂｌｅ）と，グループリレーテーブル（Ｇｒｏｕｐ＿Ｒｅｌａｙ  Ｔａｂｌｅ）と，メッセージテーブル（Ｍｅｓｓａｇｅ  Ｔａｂｌｅ）とを含んでなる。ユーザーテーブルは，使用者ＩＤとパスワードを含む認証に必要な会員情報を提供する。そして，グループテーブルは，グループＩＤ，グループ人数，グループセングソングイルからなるキャラクター単位のグループ情報である。また，グループリレーテーブルは，使用者ＩＤ，グループＩＤ，グループに対する権限からなり，使用者が属しているグループおよび権限情報を有する。さらに，メッセージテーブル（Ｍｅｓｓａｇｅ  Ｔａｂｌｅ）は，メッセージＩＤ，使用者ＩＤ，グループＩＤ，生成である満了日，題目，内容についての情報を有するテーブルである。
【００３８】
また，動映像像の特定領域を透過させた実物型２Ｄ実物キャラクター型動画像情報物（ｃｈａｒａｃｔｅｒ）と，ＭＰ３音楽，リアルタイムメッセージ，および字幕などを含むモーション実物キャラクター型動画像情報物と，メッセージ到着，メッセージ受信，プログラム開始，プログラム終了，電子メール到着を表示する通知用の実物キャラクター型動画像情報物と，そして各種メッセンジャーと連動される実物キャラクター型動画像情報物およびウォンアンプ（ＷｉｎＡｍｐ）再生（プレー）のとき，プリントアウトされるプラグイン実物キャラクター型動画像情報物とを含んだマルチメディアコンテンツを，コンピュータ作業中に多くの種類の映像と音楽および字幕が含まれた実物キャラクター型動画像情報物を同時に再生することができる。
【００３９】
次に，図６は，本実施形態にかかる実物キャラクター型動画像情報物のダウンロードサービス提供方法を説明するためのフローチャートである。
【００４０】
インターネットまたは有線もしくは無線通信網に接続されたコンテンツ提供者／サービス提供者サーバ１１０を介して，使用者に実物キャラクター型動画像情報物７０を提供する実物キャラクター型動画像情報物ダウンロードサービス方法は，次のような手順で行われる。
【００４１】
まず，実物キャラクター型動画像情報物７０は，コンテンツ提供者またはサービス提供者より提供される動画像情報９を含み，音楽情報１０，メッセージ情報または字幕情報１１のうち少なくとも一つがさらに含まれている。次いで，動画像情報９に含まれた音楽情報１０，メッセージ情報または字幕情報１１が相互に連動して再生（実行）されるための情報を含むメタファイル６を作成する。そして，このメタファイル６を含んだ実物キャラクター型動画像情報物７０を製作する。つまり，コンポーザー７と字幕生成部８によって動画像情報９，音楽情報１０，メッセージまたは字幕情報１１が含まれた実物キャラクター型動画像情報物７０が製作される。そして，製作された実物キャラクター型動画像情報物７０を，コンテンツ提供者／サービス提供者サーバ１１０に蓄積して，実物キャラクター型動画像情報物７０のダウンロードサービスを準備する（ステップＳ１）。
【００４２】
次いで，有線インターネット端末１０４の使用者または携帯端末機１０６の使用者が，インターネットまたは有線もしくは無線通信網を通じて，実物キャラクター型動画像情報物７０を蓄積しているコンテンツ提供者／サービス提供者サーバ１１０に接続する（ステップＳ２）。このとき，データベース１３は，接続した使用者の認証などを付随的に行う。
【００４３】
そして，コンテンツ提供者／サービス提供者サーバ１１０は，コンテンツ提供者／サービス提供者サーバ１１０に接続した使用者に対して，実物キャラクター型動画像情報物リストおよびモーションプレーヤー１２などを表示する（ステップＳ３）。
【００４４】
ステップＳ１において製作された実物キャラクター型動画像情報物７０を，コンテンツ提供者／サービス提供者サーバ１１０のデータベース１３に，動画像情報９，音楽情報１０，字幕情報１１が含まれた実物キャラクター型動画像情報物７０を蓄積する。次いで，コンテンツ提供者／サービス提供者サーバ１１０の情報提供ウェッブサイトから，使用者がＩＤ，パスワードを入力して認証をする。そして，動画像情報９，音楽情報１０，字幕情報１１，メタファイル６が含まれたリストが表示され，このリストを検索して，特定の実物キャラクター型動画像情報物７０をクリックする。その後，実物キャラクター型動画像情報物再生部（モーションプレーヤー）１２をダウンロードすることができる。そして，コンテンツ提供者／サービス提供者サーバ１１０から，クライアント（使用者のコンピュータ）に，動画像情報９，音楽情報１０，字幕情報１１またはメッセージ，およびメタファイル６などの情報が含まれた実物キャラクター型動画像情報物７０をダウンロードすることができ，使用者に提供される。
【００４５】
そして，ダウンロード後，実物キャラクター型動画像情報物再生部（モーションプレーヤー）１２を使って，モーション実物キャラクター型動画像情報物，通知用の実物キャラクター型動画像情報物，プラグイン実物キャラクター型動画像情報物を表現する動画像情報９，音楽情報１０，メッセージまたは字幕情報１１がメタファイル６と同時に，リアルタイムに同期して，実物キャラクター型動画像情報物７０がコンピュータバックグラウンド画面で再生できるようになる（ステップＳ４）。
【００４６】
このようなコンテンツ提供者／サービス提供者サーバ１１０の情報提供ウェッブサイトにおいて，ダウンロードサービスのために使用者が要請する実物キャラクター型動画像情報物に，使用者の名前，ＩＤ，住所などの使用者情報を含むように，実物キャラクター型動画像情報物７０の字幕情報を変更して提供する。これにより，使用者情報が含まれて提供された実物キャラクター型動画像情報物７０が再生する際，使用者情報を一緒に表示することができる。
【００４７】
有線インターネットを通じて，一般に，コンピュータやノートブックコンピュータ，イーサネット（Ｅｔｈｅｒｎｅｔ）（登録商標）により無線ＬＡＮに接続されたノートブックコンピュータに，動画像情報（モーションクリップ）９，オーディオ情報（ＭＰ３などの音楽データ）１０，字幕情報１１またはメッセージが含まれた実物キャラクター型動画像情報物７０およびメタファイル６をダウンロードすることができる。また，ＩＭＴ−２０００などの移動通信網を通じて，ＣＤＭＡモデムやイーサネット（Ｅｔｈｅｒｎｅｔ）（登録商標）に繋がれた無線ＬＡＮカードを装着したＰｏｃｋｅｔ−ＰＣ，ＨＰＣ（Ｈａｎｄｈｅｌｄ  ＰＣ），ＰＤＡなどのポータブル移動通信器機で，動画像情報９，音楽情報１０，字幕情報１１のダウンロードサービスを提供することができる。
【００４８】
以上より，本実施形態による動画像情報９，音楽情報１０，字幕情報１１またはメッセージ，メタファイル６を含む実物キャラクター型動画像情報物ダウンロードサービス提供方法は，コンポーザー７によって映像と音楽ファイルを生成する。そして，字幕生成部８によって字幕を生成し，コンテンツ提供者（ＣＰ）／サービス提供者（ＳＰ）サーバ１１０に蓄積する。その後，ダウンロード提供ウェッブサイトに動画像情報９，音楽情報１０，字幕情報１１を提供して，使用者がＩＤ，パスワード認証の後，モーションプレーヤー１２をダウンロードする。そうすると，動画像情報９，音楽情報１０，字幕情報１１またはメッセージが含まれた実物キャラクター型動画像情報物７０をダウンロードすることができるようになる。そして，コンピュータ１０４のバックグラウンド画面で，リアルタイムに同期して再生することができ，鑑賞できるようになる。
【００４９】
このとき，実物キャラクター型動画像情報物再生部１２では，動画像情報９，音楽情報１０，字幕情報１１を含んだ実物キャラクター型動画像情報物７０を，様々な種類のモーション実物キャラクター型動画像情報物，通知用の実物キャラクター型動画像情報物，およびプラグイン実物キャラクター型動画像情報物を表現することができる。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５１】
例えば，コンポーザー７によって生成された映像であるモーションクリップ９は，字幕情報１１またはメッセージと音楽情報１０を一緒にコンテンツ提供者（ＣＰ）／サービス提供者（ＳＰ）サーバ１１０のデータベース１３に蓄積している。また，教育，大人向け，エンターテイメント，ソフトウェアプラグインなど多様な分野に利用可能であり，例えば，スターマーケティングチャンネルでスター実物キャラクター型動画像情報物の実物映像２Ｄ実物キャラクター型動画像情報物サービスを提供することができる。さらに，声や歌などの音源サービス，歌詞や消息などのテキストサービスを中心に，余暇およびエンターテイメントコンテンツ，教育用コンテンツに活用可能であり，各種広告および文化情報，キャラクターコンテンツにおいても活用することができる。
【産業上の利用可能性】
【００５２】
本発明は，有線もしくは無線インターネットを利用して実物キャラクター型動画像情報物を提供する実物キャラクター型動画像情報物ダウンロードサービス方法およびシステムに適用可能であり，特に，多様な形態の実物キャラクター型動画像情報物および実物キャラクター型動画像情報物を再生するための再生部を有線もしくは無線インターネットサーバ，またはデータベースに蓄積し，使用者が有線インターネット端末１０４または携帯電話機，ＰＤＡなどのような無線インターネット接続が可能な携帯端末機１０６を利用して，サーバに接続して実物キャラクター型動画像情報物をダウンロードできるダウンロードサービス提供方法およびシステムに適用可能である。
【図面の簡単な説明】
【００５３】
【図１】従来の携帯移動電話端末機の着信音ダウンロードシステムを概略的に示した図である。
【図２】従来の携帯移動電話端末機の着信音ダウンロードサービス方法を説明するためのフローチャートである。
【図３】本実施形態にかかる実物キャラクター型動画像情報物を製作してダウンロードサービスを実施するための，実物キャラクター型動画像情報物を蓄積しているコンテンツ提供者／サービス提供者サーバの構成を示した図である。
【図４】図３でダウンロードされた実物キャラクター型実物キャラクター型動画像情報物を実物キャラクター型動画像情報物再生部によってリアルタイムに同期させて再生した画面を示した図である。
【図５】本実施形態にかかるコンテンツ提供者／サービス提供者サーバからの実物キャラクター型動画像情報物議ダウンロードサービスシステムの構成図である。
【図６】本実施形態にかかる実物キャラクター型動画像情報物のダウンロードサービス提供方法を説明するためのフローチャートである。
【符号の説明】
【００５４】
６      メタファイル
７      コンポーザー
８      字幕生成部
９      動画像情報（モーションクリップ）
１０    オーディオ情報（音楽）
１１    字幕情報
１２    実物キャラクター型動画像情報物再生部（モーションプレーヤー）
１３    データベース
７０    実物キャラクター型動画像情報物
１１０  コンテンツ提供者／サービス提供者サーバ
４００  実物キャラクター型動画像情報物ダウンロードサービスシステム
【図１】
2005198271.tif 000004
【図２】
2005198271.tif 000005
【図３】
2005198271.tif 000006
【図５】
2005198271.tif 000007
【図６】
2005198271.tif 000008
【図４】
2005198271.tif 000009